(57)【要約】【目的】  どこででも作りたい水の量と、希釈倍数の情報を与えるだけで必要とする薬液量を簡単に求めることが出来るようにした計量早見器を提供する。【構成】  円筒形の外筒１と、回転棒２と希釈倍数選定ゲージ３からなる計量早見器において、円筒形の外筒１に回転棒２と、希釈倍数ゲージ３を装着する。作りたい水の量６と、希釈倍数４の情報を与えるだけで、希釈倍数ゲージ３に、求めている希釈薬液量５を表示させる窓９を設ける。【選択図】        図１
0003114263.tif 000002
【実用新案登録請求の範囲】
【請求項１】
円筒形の外筒１に、希釈倍数４を明記して、その下部に長い窓（透明）１２と、小窓（透明）１３を設け、作りたい水の量６と希釈倍数４ごとの薬液量を５に書き込んだ回転棒２を装着する。回転棒２の操作部１５を回わすことにより希釈倍数選定ゲージ３のくりぬき窓９に、希釈倍数４と作りたい水の量６に対して必要な希釈薬液量５を、重量の単位のｇと、容量の単位のｍｌとｃｃで、表示することを特徴とする。
計量早見器。
イ  回転棒２とは別に、水の量６と、希釈倍数ごとの薬液量５を変えた、回転棒を作成し、これを仮に、交換用回転棒２−Ａとする。交換用回転棒２−Ａを、回転棒２と差し替える事により、計量範囲が広範になることを特徴とする。
計量早見器。
【考案の詳細な説明】
【考案の詳細な説明】
【技術分野】
【０００１】  本考案は何所ででも希釈薬液量を、簡単に求めることが出来るようにしたものに関する。
【従来技術】
【０００２】  農薬の希釈薬液量を求めるとき、消毒を行なう度に、農薬保管庫や畑にいちいち電卓やメモ紙、ボールペン等を持ち歩き、計算したり、薬剤散布中に液が不足して、その場で希釈薬液量を求めなければならない場合でも、わざわざ畑から一度家に戻り計算するといった具合に、かなりの時間の無駄があった。
【考案が解決しようとする課題】
【０００３】  上記のように電卓やメモ紙、ボールペン等を、持ち歩き計算する事による弊害は、薬剤散布時雨合羽を着用する為メモ紙が汗で濡れてしまって書けなくなる事や、かさ張ることにより携帯するにも不便であった。
【０００４】（本考案の目的）
本考案の目的は、携帯に便利で、如何なる場所においても、電卓やメモ紙を使わずに、希釈薬液量を求めることが簡単に出来る計量早見器を提供するものである。
【課題を解決するための手段】
【０００５】  本考案は、計量早見器であって、上記問題点を解決するために、円筒形の外筒１と、回転棒２及び、希釈倍数選定ゲージ３からなる計量早見器において、円筒形の外筒１に回転棒２と、希釈倍数選定ゲージ３を装着し、作りたい水の量６と、希釈倍数４の情報を与えるだけで、希釈倍数選定ゲージ３に求めている希釈薬液量５を表示させる手段を講じたものである。
回転棒２は、差し替えが可能であることを特徴とする。
【０００６】（作用）
本考案に係る計量早見器は、前述の手段を講じたので、使用に際しては、回転棒２の操作部１５を回して、作りたい水の量を小窓１３に表示させ、求めようとする希釈倍数４を希釈倍数選定ゲージ３のくりぬき窓９の枠内に表示させて使用する。
【０００７】（実施例）
以下、本考案の実施例を図面に従って説明する。
【０００８】  図１に示すものは、第１の実施例であって、希釈倍数４と、その下部に長い窓１２と小窓１３を設けた円筒形の外筒１に、作りたい水の量を６に、希釈倍数ごとの薬液量を５に書き込んだ回転棒２を装着する。
回転棒２を回わし、作りたい水の量を、小窓１３に表示させることによって、希釈倍数４の下部の長い窓１２に希釈薬液量５が表示される。
【０００９】  １図は、１００リットルの水の量に対し２０００倍希釈時の必要薬液量を、問われた状態を示しており、１００リットルの水の量６が、小窓１３に、２０００倍の希釈倍数４が、希釈倍数選定ゲージ３のくりぬき窓９の上段の枠内に、その下段に希釈薬液量５が表示される。この場合、希釈薬液量は、重量換算では、５０ｇ、容量換算では、５０ｍｌ又は、５０ｃｃであることを示している。
また、このとき希釈倍数選定ゲージが、指定している２０００倍以外の希釈倍数４の、１００倍。５００倍。１０００倍などの下部の長い窓１２に、希釈倍数ごとの、希釈薬液量を、一度に見ることが出来る。
【００１０】  計量早見器は、回転棒２を交換できるようにしているため、異なった水の量に対する希釈薬液量を、広範囲にわたり簡単かつ正確に求めることが出来る。したがって、用途も農家での農薬量計算の他、容量及び重量計算が必要な職種、例えば、料理学校や仕出し屋の仕込み時、工場での溶液剤の調合等。業種を問わず使用することが出来る。
【考案を実施するための最良の形態】  本考案を図面に示した実施の形態に元づき更に詳細に説明する。
図１は、本考案に係る計量早見器の一実施の形態を示す斜視図、
図２は、図１に示す計量早見器の斜視図、
図３は、図１に示す計量早見器の断面図である。【００１１】  計量早見器は、円筒形の外筒１と、回転棒２と、希釈倍数選定ゲージ３により構成されている【００１２】  円筒形の外筒１は、長い窓１２（透明）と、小窓１３の（透明）部分を残し、まわりを覆ってしまう。長い窓１２の上部に、たとえば、１００倍・５００倍・１０００倍・という様に希釈倍数４を明記し、小窓１３の下部に水の量、希釈選定ゲージ３のくりぬき窓９の上部に希釈倍数を、そして窓の下部には重量と容量の単位、ｇとｍｌ・ｃｃを明記する。【００１３】  図２の回転棒２は、右端の操作部１５を適宜残して周囲を６等分して右端の升目６に作りたい水の量を記入し、予め計算して求めた希釈薬液量を、６等分して出来た升目５に記入する。この回転棒２の、作りたい水の量６と、希釈倍数液量５を変えたものを１本作成する。この回転棒を仮に、交換用回転棒２−Ａとする。回転棒２を、交換用回転棒２−Ａと、差し替えることにより、計量域を広くすることが出来る。【００１４】  図２のくりぬき窓９を設けている希釈倍数選定ゲージ３は、円筒形の外筒１に装着する。このとき希釈倍数選定ゲージ３の突起８を、円筒形の外筒１の背部に施したスライド用溝７にセットすることにより、希釈倍数選定ゲージ３の動きに一定の方向性を持たせることができる。これにより、くりぬき窓９の枠の中に希釈倍数４と、希釈液量５の表示が可能となる。【００１５】  円筒形の外筒１の内側の突起１１は、回転棒２を装着したとき、この回転棒２の溝１０に、セットされることになり、回転棒２が円筒形の外筒１に固定され、脱落を防止する。図３は、円筒形の外筒１に回転棒２と希釈倍数選定ゲージ３が、セットされた状態の断面図であるが、円筒形の外筒１の内側の突起１０と、回転棒２の溝１１との連結部分の拡大断面図が、１４である。
【考案の効果】
【００１６】  以上に述べたように本考案は、円筒形の外筒１と、回転棒２と、希釈倍数選定ゲージ３からなる計量器である。どこででも、作りたい水の量と、希釈倍数の情報を与えるだけで、簡単かつ正確に希釈薬液量を求めることが出来る。また回転棒２を、交換用回転棒２−Ａと、差し替えることにより、さらに薬液量を求める範囲を広めることが出来る効果を奏するものである。このことにより、農家での農薬量計算にとどまらず、容量及び重量計算が必要な職種、たとえば、料理学校や仕出し屋での仕込み時、工場での溶液剤の調合等、業種を問わず多方面で、使用が可能である。
【図面の簡単な説明】
【図１】  本考案の第一実施例の斜視図である。
【図２】  本考案の第一実施例の斜視図である。
【図３】  本考案の第一実施例の断面図である。
【符号の説明】
１：円筒形の外筒                  ８：突起
２：回転棒                        ９：くりぬき窓
３：希釈倍数選定ゲージ          １０：突起
４：希釈倍数                    １１：溝
５：希釈薬液量                  １２：長い窓（透明）
６：水の量                      １３：小窓（透明）
７：スライド用溝                １４：連結部分の拡大断面図
１５：操作部
【図１】
0003114263.tif 000003
【図２】
0003114263.tif 000004
【図３】
0003114263.tif 000005
【手続補正書】
【提出日】平成17年2月14日(2005.2.14)
【手続補正１】
【補正対象書類名】実用新案登録請求の範囲
【補正対象項目名】全文
【補正方法】変更
【補正の内容】
【実用新案登録請求の範囲】
【請求項１】
円筒形の外筒１に、希釈倍数４を明記して、その下部に長い窓（透明）１２と、小窓（透明）１３を設け、作りたい水の量６と希釈倍数４ごとの薬液量を５に書き込んだ回転棒２を装着し、回転棒２の操作部１５を回わすことにより、小窓１３に水の量６を、左右にスライドさせて使用する希釈倍数選定ゲージ３のくりぬき窓９に、希釈倍数４と作りたい水の量６に対して必要な希釈薬液量５を、重量の単位のｇと、容量の単位のｍｌとｃｃで、表示することを特徴とする、
計量早見器。
【請求項２】
回転棒２とは別に、水の量６と、希釈倍数４ごとの薬液量５を変えた、回転棒２−Ａを作成し、交換用回転棒２−Ａを、回転棒２と差し替える事により、計量範囲が広範になることを特徴とする請求項１記載の
計量早見器。
【手続補正書】
【提出日】平成17年6月8日(2005.6.8)
【手続補正１】
【補正対象書類名】実用新案登録請求の範囲
【補正対象項目名】全文
【補正方法】変更
【補正の内容】
【実用新案登録請求の範囲】
【請求項１】
円筒形の外筒１に、希釈倍数４を明記して、その下部に長い窓１２と、小窓１３を設け、作りたい水の量６と希釈倍数４ごとの薬液量を５に書き込んだ回転棒２を装着し、回転棒２の操作部１５を回わすことにより、小窓１３に水の量６を、左右にスライドさせて使用する希釈倍数選定ゲージ３のくりぬき窓９に、希釈倍数４と作りたい水の量６に対して必要な希釈薬液量５を、重量の単位のｇと、容量の単位のｍｌとｃｃで、表示することを特徴とする計量早見器。
【請求項２】
回転棒２とは別に、水の量６と、希釈倍数４ごとの薬液量５を変えた、交換用回転棒２−Ａを作成し、交換用回転棒２−Ａを、回転棒２と差し替える事により、計量範囲が広範になることを特徴とする請求項１記載の計量早見器。